(57)【要約】【課題】  電圧制御発振器によって駆動される分数分周方式シンセサイザを有する構造において、周波数精度を維持する。【解決手段】  このために、最初に、分数分周方式シンセサイザを使用することで、大きな周波数誤差を修正する。つぎに、分数分周方式シンセサイザから電圧制御発振器へ、修正値を毎回少しずつ、ゆっくりと移動させる。
2010503294.tif 000002
【特許請求の範囲】
【請求項１】
受信信号と局部的に生成された信号との間で、周波数オフセット推定値を取得するステップ；
前記周波数オフセット推定値を取得した後に、前記周波数オフセット推定値に基づいて前記局部的に生成された信号の前記周波数を修正するために局部分数分周方式シンセサイザを使用するステップであって、前記局部分数分周方式シンセサイザは局部電圧制御発振器（ＶＣＯ）からの供給を受け；かつ
前記局部分数分周方式シンセサイザから前記局部ＶＣＯへ、前記局部的に生成された信号の前記周波数の前記修正値の一部を移動させるステップ；
を有する方法。
【請求項２】
一定の時間間隔で、取得するステップ、使用するステップ、および移動させるステップを繰り返すステップ、
を更に有する請求項１記載の方法。
【請求項３】
前記修正値の一部を移動させるステップは、
修正値のΔｆの最大値を前記局部分数分周方式シンセサイザから前記局部ＶＣＯへ移動させるステップであって、Δｆは最大許容周波数誤差に基づいて選択される、ステップ；
を有する請求項１記載の方法。
【請求項４】
前記修正値の一部を移動させるステップは、
前記局部的に生成された信号の前記周波数をΔｆだけ変えるために前記局部ＶＣＯに修正メッセージを送信するステップ、および
前記局部的に生成された信号の前記周波数を−Δｆだけ変えるために前記局部分数分周方式シンセサイザに修正メッセージを送信するステップ、またはこの逆
を有する請求項１記載の方法。
【請求項５】
前記局部分数分周方式シンセサイザから前記局部ＶＣＯへ、前記局部的に生成された信号の前記周波数の前記修正値の一部を移動させるステップは、
前記局部分数分周方式シンセサイザの未だ移動されていない修正値の累積がゼロでない場合にのみ、前記局部分数分周方式シンセサイザから前記局部ＶＣＯへ修正値を移動させるステップ、
を有する請求項１記載の方法。
【請求項６】
前記ＶＣＯは、電圧制御水晶発振器（ＶＣＸＯ）である、
請求項１記載の方法。
【請求項７】
基準信号を生成するための電圧制御発振器（ＶＣＯ）；
前記基準信号を使用して、局部信号を生成するための分数分周方式シンセサイザ；
前記局部信号の周波数と通信チャネルから受信される信号の周波数との間のオフセットを推定する周波数オフセット推定器；および
制御信号を前記分数分周方式シンセサイザおよび前記ＶＣＯに送信することによって前記局部信号の前記周波数を調整するコントローラであって、前記コントローラは、周波数オフセット推定値が前記周波数オフセット推定器から受信された時、前記局部信号の前記周波数を修正するために、制御信号を前記分数分周方式シンセサイザに送信し、かつ、予め定義された時間間隔で、前記分数分周方式シンセサイザから前記ＶＣＯへ前記修正値の一部を移動させる、コントローラ；
を有する装置。
【請求項８】
前記局部信号は、ダウンコンバージョンを実行するために用いる局部発振器（ＬＯ）信号である、
請求項７記載の装置。
【請求項９】
前記予め定義された時間間隔は、前記周波数オフセット推定器が周波数オフセット推定値を生成する時間間隔である、
請求項７記載の装置。
【請求項１０】
前記コントローラは、
修正値のΔｆの最大値が、前記分数分周方式シンセサイザから前記ＶＣＯへ予め定義された時間間隔ごとに移動されることを生じさせ、Δｆは最大許容周波数誤差に基づいて選択される、
請求項７記載の装置。
【請求項１１】
前記コントローラは、
前記分数分周方式シンセサイザの未だ移動されていない修正値の累積がゼロでない場合にのみ、前記予め定義された時間間隔のうちの１つの間に前記分数分周方式シンセサイザから前記ＶＣＯへ修正値を移動させる、
請求項７記載の装置。
【請求項１２】
前記コントローラは、
前記局部信号の前記周波数を＋Ｆだけ変えるために前記ＶＣＯに信号を送ることにより、かつ、前記局部信号の前記周波数を−Ｆだけ変えるために前記分数分周方式シンセサイザに信号を送ることによって、一部の前記修正値が、前記分数分周方式シンセサイザから前記ＶＣＯへ移動されることを生じさせ、Ｆは、移動される修正値の量である、
請求項７記載の装置。
【請求項１３】
受信信号と局部的に生成された信号との間の周波数オフセット推定値を取得する手順；
前記周波数オフセット推定値が得られた後、前記周波数オフセット推定値に基づいて、
前記局部的に生成された信号の前記周波数を修正するために、局部分数分周方式シンセサイザを使用する手順であって、前記局部分数分周方式シンセサイザは局部電圧制御発振器（ＶＣＯ）からの供給を受ける、手順；および
前記局部分数分周方式シンセサイザから前記局部ＶＣＯへ、前記局部的に生成された信号の前記周波数の前記修正値の一部を移動させる手順、
をコンピュータに実行させる命令を有するプログラム。
【請求項１４】
前記命令は、
一定の時間間隔で、取得する手順、使用する手順、および移動させる手順を繰り返す
請求項１３記載のプログラム。
【請求項１５】
前記修正値の一部を移動させる手順が、前記局部分数分周方式シンセサイザから前記局部ＶＣＯへ、修正値のΔｆの最大値を移動させるための手順を有し、Δｆは、最大許容周波数誤差条件に基づいて選択される、
請求項１３記載のプログラム。
【請求項１６】
前記修正値の一部を移動させる手順は、
前記局部的に生成された信号の前記周波数をΔｆだけ変えるために前記局部ＶＣＯに修正メッセージを送信する手順、および
前記局部的に生成された信号の前記周波数を−Δｆだけ変えるために前記局部分数分周方式シンセサイザに修正メッセージを送信する手順、またはこの逆
を有する請求項１３記載のプログラム。
【請求項１７】
少なくとも一つのダイポールアンテナ；
基準信号を生成するための電圧制御発振器（ＶＣＯ）；
前記基準信号を使用して、局部信号を生成するための分数分周方式シンセサイザ；
前記局部信号の周波数と前記少なくとも一つのダイポールアンテナによって無線チャネルから受信される信号の周波数との間にオフセットを推定する周波数オフセット推定器；および
制御信号を前記分数分周方式シンセサイザおよび前記ＶＣＯに送信することによって前記局部信号の前記周波数を調整するコントローラであって、前記コントローラは、周波数オフセット推定値が前記周波数オフセット推定値から受信された時、前記局部信号の前記周波数を修正するために、制御信号を前記分数分周方式シンセサイザに送信し、かつ、予め定義された時間間隔で、前記分数分周方式シンセサイザから前記ＶＣＯへ前記修正値の一部を移動させる、コントローラ、
を有するシステム。
【請求項１８】
前記予め定義された時間間隔は、前記周波数オフセット推定器が周波数オフセット推定値を生成する時間間隔である、
請求項１７のシステム、
【請求項１９】
前記コントローラは、
修正値のΔｆの最大値が、前記分数分周方式シンセサイザから前記ＶＣＯへ予め定義された時間間隔ごとに移動されることを生じさせ、Δｆは最大許容周波数誤差に基づいて選択される、
請求項１７のシステム。
【請求項２０】
前記コントローラは、
前記分数分周方式シンセサイザの未だ移動されていない修正値の累積がゼロでない場合にのみ、前記予め定義された時間間隔のうちの１つの間に前記分数分周方式シンセサイザから前記ＶＣＯへ修正値を移動させる、
請求項１７のシステム。
【発明の詳細な説明】
【技術分野】
【０００１】
本発明は、一般に、周波数修正に関する。より詳細には、本発明は分数分周方式シンセサイザを用いたシステムの周波数修正を実行するための技術に関する。
【背景技術】
【０００２】
ワイヤレス通信装置は、しばしば、相手局エンティティ（例えば、基地局その他）から受信される信号に対して、それらの内部のタイミング装置を同期させなければならない。
【発明の概要】
【発明が解決しようとする課題】
【０００３】
効率的かつ正確な方法で周波数修正を適用するための技術が必要とされる。
【課題を解決するための手段】
【０００４】
無線標準は、例えば、無線デバイス（例えば、クロック、ＬＯ信号、その他）の内部で生成された信号の周波数と受信信号（例えば、基地局、その他から受信される信号）の周波数との間で生じ得る差の最大値を規定してもよい。かかる条件に対応するために、周波数修正方式が使用され得る。
【０００５】
以下の詳細な説明において、発明が実施される具体的な実施例を示す図面が参照される。これらの実施例は、当業者が本発明を実施することができるよう、充分に詳細に記載されている。本発明の各種実施例は、それぞれ異なっているが、必ずしも互いに相容れないというわけではないことを理解すべきである。例えば、一実施例に関連して本願明細書において記載されている特定の特長、構造または特性は、本発明の精神と範囲から逸脱することなく、他の実施例の中で実施されてもよい。加えて、各開示された実施例の中の個々の要素の位置または配置は、本発明の精神と範囲から逸脱することなく修正されてもよいことを理解すべきである。以下の詳細な説明は、したがって、限定的に解釈してはならない。そして、本発明の範囲は添付の請求の範囲のみによって定義される。そして、請求項が持っている技術的範囲に対する最大限の均等物が本発明に包含される。図面において、類似の引用番号は、図の全体にわたって、同じあるいは同様の機能を指す。
【０００６】
図１は、本発明の実施例に従う無線通信装置構成１０を示すブロック図である。構成１０としては、無線通信ネットワーク（例えば、ＩＥＥＥ  ８０２．１１ベースのネットワーク、ＩＥＥＥ  ８０２．１６ベースのネットワーク等）、セルラ電話機回路網（例えば、ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓネットワーク、ＥＤＧＥ：Ｅｎｈａｎｃｅｄ  Ｄａｔａ  ＧＳＭ  Ｅｖｏｌｕｔｉｏｎネットワーク等）、または他のタイプのネットワークおよびシステムが該当する。図示するように、無線通信装置１０は、第１および第２の基地局１２、１４を含む。各基地局１２、１４は、無線信号の送信および受信を容易にするために、一つ以上のアンテナを備えていてもよい。各基地局１２、１４は、基地局１２、１４がネットワーク・アクセス・サービスを提供するカバー範囲すなわちセル２０、２２を有している。すなわち、各基地局１２、１４は、ネットワーク・アクセスおよび通信サービスを移動局に提供するために、対応するセル２０、２２の中で一つ以上の移動局との無線リンクをサポートすることができる。基地局１２、１４は、相互に無線および／またはワイヤード・リンクを介して通信することが可能であってもよい。基地局１２、１４は、より大きなネットワーク（例えば公衆交換電話網（ＰＳＴＮ）、インターネット、個人的なローカル・エリア・ネットワーク（ＬＡＮ）および／またはその他のネットワーク）にアクセスしてもよい。図１の無線通信構成１０が２台の基地局１２、１４だけを有するとして示されるが、セルラ・タイプ無線システムは、通信範囲を他の領域にも提供するために、いかなる数の基地局を含んでもよいことを理解すべきである。
【図面の簡単な説明】
【０００７】
【図１】本発明の実施例の無線通信装置を例示したブロック図である。
【図２】本発明の実施例のレシーバーシステムを例示したブロック図である。
【図３】本発明の実施例の周波数修正を実行する方法を示したフローチャートである。
【発明を実施するための形態】
【実施例】
【０００８】
図１に示すように、無線通信構成１０は、第２の基地局１４のカバレッジ範囲２２中に位置する移動局１６を含んでいる。移動局１６は、移動ワイヤレス通信装置としての任意の装置またはシステムを有してもよい。例えば、移動電話、無線機能を有するポータブルコンピュータ、無線機能を有するパーソナル携帯情報機器および／またはその他である。移動局１６は、無線信号の送信および受信を容易にするために、一つ以上のアンテナ１８を含んでもよい。任意の形状のアンテナを利用できる。例えば、ダイポール、パッチ、ヘリカルアンテナ、アンテナアレイ、マルチ・アンテナ（例えば、ＭＩＭＯ）および／またはその他である。移動局１６は、通常は、ネットワーク・アクセスを移動局に提供するシステムの範囲内で、基地局と関連する。図１に示すように、現在、移動局１６は、基地局１４に関連している。移動局１６が移動すれば、関連する基地局は変化してもよい。例えば、移動局１６がセル２２からセル２０へ移動する場合、移動局１６の関連は基地局１４から基地局１２に変更されてもよい。これはハンドオフ操作と呼ばれる。
【０００９】
移動局１６が基地局１４と関連するとともに、移動局１６は基地局１４と一定レベルの周波数同期を維持しなければならない。通常は、移動局１６は、基地局１４から受信される信号に同期することを試みる。ＧＳＭセルラ標準に従うと、例えば、移動局は、関連した基地局から受信される信号に関して０．１ｐｐｍ（ｐｐｍ）の周波数精度を維持することを必要とする。他の無線標準には、異なる条件が決められてもよい。受信信号に基づいて、周波数精度の基準を満たすために、内部的に生成された信号の周波数を修正するための技術が必要とされる。
【００１０】
図２は、本発明の実施例に係るレシーバーシステム３０を示すブロック図である。例えば、レシーバーシステム３０は、図１の移動局１６、または他のワイヤレス通信装置内で使われてもよい。図示するように、レシーバーシステム３０は、ミキサー３２、サンプラ３４、デジタル・ベースバンド受信器３６、コントローラ３８、デジタル／アナログ（Ｄ／Ａ）コンバータ４０、電圧制御水晶発振器（ＶＣＸＯ）４２、および局部発振器（ＬＯ）サブシステム４４を有する。ＶＣＸＯ  ４２は、システム３０内で他のエレメント用の基準信号を生成するために機能する。ＬＯサブシステム４４は、ミキサー３２に伝達するためのＬＯ信号を生成するために、ＶＣＸＯ  ４２による基準信号出力を使用する。ミキサー３２は、無線チャネル（すなわち、受信信号）からベースバンドに、受信された信号をダウンコンバートするために、ＬＯ信号を使用する。
【００１１】
サンプラ３４は、そのデジタル出力を生成するために、ミキサー３２によるベースバンド信号出力をサンプリングする。図示するように、少なくとも一つの実施例において、ＶＣＸＯ  ４２による基準信号出力は、サンプラ３４にクロックを与えるために用いられる。基準信号は、対応するデバイスまたはシステム内で他の回路およびコンポーネントにクロックを与えるために用いてもよい。サンプラ３４によって生成されるデジタル・サンプルは、デジタル・ベースバンド受信器３６の入力に伝達される。ベースバンド受信器３６は、それらから通信情報を得るためにサンプルをデジタル的に処理する。例えば、この得られた情報は、ユーザーインターフェースまたは他の目的に用いられてもよい。図２に示すように、デジタル・ベースバンド受信器３６は、周波数推定ロジック４６を含んでもよい。周波数推定ロジック４６は、少なくとも一つの実施例において、ミキサー３２により用いられるＬＯ信号と受信信号の間の周波数オフセットを推定することができる少なくとも一つの実施例において、周波数推定ロジック４６は、所定の時間間隔（例えば、Ｍ個のフレーム毎、その他）で周波数オフセット推定値を生成する。ベースバンドへの正確なダウンコンバージョンを実行するために、ＬＯ信号の周波数は、実質的に受信信号の周波数と同じにすることが必要とされる。コントローラ３８は、デジタル・ベースバンド受信器３６から周波数オフセット推定値を受信する。そして、この推定値は、ＬＯ信号の周波数が周波数オフセットを減少させるかまたは除去するように調整する方法を決定するために、推定値を使用する。
【００１２】
図２に示すように、ＬＯサブシステム４４は、分数分周方式シンセサイザ４８を含んでもよい。分数分周方式シンセサイザ４８は、分数分周方式シンセサイザに入力される基準信号の周波数の非整数倍の出力周波数を出力する機能がある。分数分周方式シンセサイザを実装する技術は、公知技術である。コントローラ３８は、ＬＯ信号の周波数を調整するために、２つのオプションを有している。第１のオプションは、３８がシンセサイザ４８に訂正信号を送信することである。訂正信号によって、分数分周方式シンセサイザ４８は、ＬＯ信号を生成するために使用している非整数次乗算器を変化させる。他の可能なオプションとしては、コントローラ３８が、訂正信号をＶＣＸＯ  ４２に伝達し、これより生成される基準信号の周波数を変化させることである。基準信号の周波数のいかなる変更も、ＬＯ信号の周波数の変更につながる。ＶＣＸＯ  ４２はアナログ入力信号を必要とするため、コントローラ３８からのデジタル制御信号出力をアナログに変換するために、Ｄ／Ａ変換器４０を用いてもよい。
【００１３】
分数分周方式シンセサイザ４８は、ＬＯ信号の周波数を比較的高い精度で調整することができる。一方、ＶＣＸＯ  ４２に送信される周波数修正コマンドは、より高いレベルの周波数誤差を発生させることになる。修正メッセージがＶＣＸＯに送られる場合、最高３０％の（または、それ以上の）オーバーシュートまたはアンダーシュートを呈するエラーレベルでの、要求された周波数の変動が経験されている。したがって、比較的大きい周波数オフセットが検出される場合であって、ＶＣＸＯがオフセットの修正に使用されている場合には、修正後における結果として生じる周波数誤差は、依然として、システムに要求される周波数精度条件（例えば、ＧＳＭの０．１ｐｐｍ、その他）を満たす周波数の範囲外にあることがある。この問題に対処するために考えられる１つの方法としては、すべての周波数修正を分数分周方式シンセサイザ４８の使用で実行することとしてもよい。しかしながら、上述したように、実施例において、ＶＣＸＯ  ４２は対応するシステム内でクロック信号をサンプリング機能、および、おそらく他の要素に提供してもよい。したがって、分数分周方式の修正を全てに対して利用することによって、タイミングの誤差がシステム内に重畳されることになってもよい。本発明の一態様によって、定められた周波数精度条件を満たす周波数修正をシステム内で実行することができる方式が提供される。しかも、システム内の時間ドリフトエラーの蓄積も減らすことができる。
【００１４】
少なくとも本発明の一実施例において、コントローラ３８が新しい周波数オフセット推定値を受信するとコントローラ３８は全てのオフセットを修正するために訂正信号を分数分周方式シンセサイザ４８に直ちに送信する。分数分周方式シンセサイザ４８が比較的正確であるので、修正がなされたあと、ＬＯ周波数は通常比較的小さい周波数誤差しか有さない。対応する無線標準の周波数精度条件がある場合には、これを満足することとなると考えられる。この最初の修正が分数分周方式シンセサイザ４８を使用してなされたあと、修正値は時間とともに分数分周方式シンセサイザ４８からＶＣＸＯ  ４２へゆっくり移動する。すなわち、周波数オフセットの修正のためにＶＣＸＯ  ４２に大きな周波数の修正を行う代わりに、大きな修正を分数分周方式シンセサイザ４８に最初に行う。そして、この修正が時間とともに少量（Δｆ）の値がＶＣＸＯ  ４２へ移動する。例えば、推定値６００Ｈｚの比較的大きな周波数オフセットが特定の時刻（例えば、ハンドオフ直後）に発生したと仮定する。６００Ｈｚの修正値は、分数分周方式シンセサイザを使用しているＬＯ周波数になされてもよい。この修正値は、たとえば、定義された時間間隔で、３０Ｈｚの増分で、分数分周方式シンセサイザ４８からＶＣＸＯ  ４２へ移動させてもよい。
【００１５】
コントローラ３８が分数分周方式シンセサイザ４８からＶＣＸＯ  ４２へ修正値を移動させるときには、コントローラ３８は、第１の訂正信号をＶＣＸＯ  ４２に送信し、Δｆの周波数変更を行い、そして、第２の訂正信号を分数分周方式シンセサイザ４８に送信し、−Δｆの周波数変更を行う（この逆でもよい）。少なくとも本発明の一実施例においては、コントローラ３８が少量の修正値をＶＣＸＯ  ４２へ移動させる時間間隔は、周波数オフセット推定がなされる時間間隔と同じである。例えば、１つの考えられるシステムにおいては、Ｍ個（例えば、１６個）のフレームの受信毎に１回、周波数オフセットが推定されてもよい。このシステムにおいて、修正値の移動は、Ｍ個のフレーム毎に一回なされてもよい。このようにして、移動がなされるたびに、次の移動がなされる前に、次の周波数オフセット推定（および、対応する修正）が実行される。本発明の少なくとも一つの実施例において、分数分周方式シンセサイザ４８からＶＣＸＯ  ４２へ移される、少量の修正値（Δｆ）は、対応するシステムの周波数精度条件を満たすような方策で、選択されてもよい。この場合、ＶＣＸＯ  ４２における修正エラーの最悪のケースを想定する。例えば、１つの有り得る実施例では、１０Ｈｚの周波数誤差が受信器に対応する周波数精度条件（例えば、０．１ｐｐｍ、等）を逸脱しない量であると決定されてもよい。公知のシステムで使われているＶＣＸＯの最悪のケースの周波数変動エラーは±３０％である。少量の修正値Δｆの量は、したがって、１０Ｈｚ／０．３＝３３Ｈｚに、あるいはこれを切り捨て、３０Ｈｚにセットしてもよい。この数は、周波数精度の付加的な補償を担保するために、更に減らされてもよい。
【００１６】
１つの考えられる実施例においては、分数分周方式シンセサイザになされる最初の修正値が完全に移動されるまで、分数分周方式からＶＣＸＯへの修正値の少量の移動が実行される。分数分周方式シンセサイザを使用した最初の修正の後、追加的な修正値がなされる場合、分数分周方式シンセサイザを使用したすべての修正値の合計が、ＶＣＸＯへ移動されるまで、少量の修正値の移動が継続されてもよい。これらの修正は周波数上昇でもよく、そして、周波数減少でもよい。少なくとも一つの実施例において、ＶＣＸＯによって生じる周波数変動は、いかなる移動においても、Δｆ（上昇または減少）を上回ることは許されない。例えば、修正値の量がΔｆより小さい場合、Δｆより小さい合計された修正値が移動される
図３は、本発明の実施例に係る周波数修正を実行する方法５０を示したフローチャートである。例えば、方法５０は、図２のレシーバーシステム３０、または他のシステム、デバイス、またはコンポーネントに関連して実行されてもよい。少なくとも一つの実施例において、方法５０は、デジタルプロセシング・デバイスによってソフトウェア（例えば、計算機可読の媒体に保存される命令）を使用して実行されてもよい。方法５０は、システム、デバイスまたはコンポーネントが、例えば、起動したときに開始（ブロック５２）してもよい。起動の後、方法５０は、周波数オフセット推定値が得られるのを待ってもよい（例えば、推定器等から受信される）（ブロック５４）。少なくとも一つの実施例において、周波数オフセット推定値は、無線チャネルから受信される信号の周波数と局部的に生成された信号（例えば、ＬＯ信号）の周波数との間のオフセットを表してもよい。周波数オフセット値は、システムの予め設定された時刻に推定されてもよい（例えば、一定の時間間隔、受信したＭ個のフレーム毎、等）。周波数オフセットの推定値が得られたときに（ブロック５４―Ｙ）、推定された周波数オフセットに基づいて（ブロック５６）、局部的に生成された信号（例えば、ＬＯ信号）の周波数を修正するために訂正信号が、局部分数分周方式シンセサイザに送信されてもよい。推定の精度が通常は時間とともに減少するため、推定がなされたあと、訂正信号は比較的短時間に送信されなければならない。分数分周方式シンセサイザは、周波数修正を実行に関して比較的正確であるので、この修正がなされたあと、比較的小さい周波数オフセットしか存在しない。
【００１７】
分数分周方式シンセサイザ修正がなされたあと、修正値の一部は分数分周方式シンセサイザからＶＣＸＯへ移されてもよい（ブロック５８）。例えば、１つの実施例では、移動が正当化された場合に、少量の修正値Δｆが分数分周方式シンセサイザからＶＣＸＯへ移動される。例えば、局部分数分周方式シンセサイザによって実行され、未だＶＣＸＯへ移動されていない修正値の累積値がΔｆよりも大きい場合、移動は正当化されてもよい。修正値の累積値は、たとえば起動後からの分数分周方式シンセサイザによる修正値（正および負の両者）の全ての合計でもよい。分数分周方式シンセサイザから移動されていない累積値の量がΔｆより小さいが、ゼロよりも大きい場合、その具体的な量はＶＣＸＯへ移動されてもよい（ブロック５８）。移動は、周波数上昇または減少でもよい。
【００１８】
少なくとも一つの実施例においては、未だ移動されていない、分数分周方式シンセサイザの蓄積された修正値がゼロでない場合はいつでも、数分周方式からＶＣＸＯへの修正値の移動がなされてもよい。未だ移動さていない、分数分周方式シンセサイザの蓄積された修正値の量を時間的に把握するために、記憶位置が割り当てられてもよい。
【００１９】
少なくとも一つの実施例において、ＶＣＸＯに対する修正値の移動は、分数分周方式シンセサイザにおいてなされる最初の修正の直後に実行される（ブロック５６）。上述したように、分数分周方式からＶＣＸＯへのΔｆの修正値の移動は、ＶＣＸＯを使用した局部的に生成された信号の周波数を＋Δｆだけ、そして分数分周方式シンセサイザを使用した局部的に生成された信号の周波数を−Δｆだけ変更することによってなされてもよい。（またはその逆でもよい）１つの実施例では、ブロック５６および５８が一緒になされてもよい。たとえば、分数分周方式を用いた局部的に生成された信号の周波数の最初の変更において推定された−Δｆを加味して変更し、そして、ＶＣＸＯを使用している周波数を＋Δｆだけ変更してもよい（またはその逆でもよい）。分数分周方式シンセサイザからＶＣＸＯへの修正値のΔｆの移動の後、方法５０は、ブロック５４に戻ってもよい。そして再び、周波数オフセット推定値が得られるのを待ってもよい（ブロック５４）。推定値が受信されるときに、修正は上記の通りに再び実行されてもよい。
【００２０】
少なくとも一つの実施例において、上記の技術は、従来よりも廉価な電圧制御水晶発振器（ＶＣＸＯ）の使用を許容してもよい。これによって、実装する経費を抑えることができる。既に知られているように、廉価な発振器は、より高価な発振器より高い周波数修正エラーを呈する。本発明の技術を用いて、このより高い修正エラーに係る課題の多くは解決されるであろう。本発明の技術の使用によって、場合によっては、発振器が修正されるまでの経過時間が増加するかもしれない。いくらかのドリフトがサンプリングクロックでの間で起こることがあるかもしれない。しかしながら、実施例によっては、この少量のドリフトは、通常はデジタル・ベースバンド受信器３６のタイムトラッキングループの範囲内で修正される。ＶＣＸＯに関連して上述したが、本発明の態様が他のタイプの電圧制御発振器（ＶＣＯ）でなされてもよいことが理解されるべきである。
【００２１】
上述の実施例において、本発明の技術は、通信ベースのアプリケーションにおいて実施される。本発明の態様は、局部的に生成された信号の周波数を修正するために、通信アプリケーション以外において利用されてもよいと理解されるべきである。すなわち、低い周波数修正精度を有する発振器が、より高い周波数修正精度を有する分数分周方式シンセサイザを駆動するために用いるときはいつでも、本発明を利用することができる。
【００２２】
通信システムに対して本発明を実施するときには、本発明の技術および構成は、種々の態様で実装することができる。例えば、本発明の特長は、以下の機器において実施できる。すなわち、移動電話および他の携帯端末無線通信機；無線機能を有するラップトップ、パームトップ、デスクトップおよびタブレットコンピュータ；無線機能を有するパーソナル携帯情報機器（ＰＤＡ）；ポケットベル；衛星通信機；無線機能を有するカメラ；無線機能を有するオーディオ／ビデオ・デバイス；ネットワークインターフェイスカード（ＮＩＣ）および他のネットワーク・インタフェース構造；集積回路；命令および／またはデータ構造として格納される機械読み取り可読な媒体；および／または他のフォーマットである。命令またはデータを格納することに適しており利用できる種々のタイプの機械読み取り可読な媒体の例としては、フロッピー（登録商標）ディスケット、ハードディスク、光ディスク、ＣＤ−ＲＯＭ、デジタル・ビデオ・ディスク（ＤＶＤ）、ブルーレイ・ディスク、光磁気ディスク、読取り専用メモリ（ＲＯＭ）、ランダムアクセスメモリ（ＲＡＭ）、消去可能プログラマブルＲＯＭ（ＥＰＲＯＭ）、電気的消去書込み可能型ＲＯＭ（ＥＥＰＲＯＭ）、磁気あるいは光学カード、フラッシュメモリおよび／または他のタイプの媒体が挙げられる。本願明細書において、「ロジック（ｌｏｇｉｃ）」という用語は、一例として、ソフトウェアまたはハードウェアおよび／またはソフトウェアおよびハードウェアの組合せを含んでもよい。
【００２３】
本願明細書においてブロック図に示されている個々のブロックは、機能を示しており、別々のハードウェア・エレメントに必ずしも対応するというわけではないことが理解されるべきである。例えば、少なくとも一つの実施例で、ブロック図の二個以上のブロックは、単一のデジタルプロセシング・デバイス中で、ソフトウェアとして実装されてもよい。デジタルプロセシング・デバイスは、例えば、汎用マイクロプロセッサ、デジタル信号処理プロセッサ（ＤＳＰ）、縮小命令セットコンピュータ（ＲＩＳＣ）、複雑命令セットコンピュータ（ＣＩＳＣ）、フィールドプログラマブルゲートアレイ（ＦＰＧＡ）、特定用途向け集積回路（ＡＳＩＣ）および／またはその他である。そして、上記のものの組合せを含む。ハードウェア、ソフトウェア、ファームウェアおよびハイブリッドによる実装が使われてもよい。
【００２４】
前述の詳細な説明において、開示を合理化するために、本発明のさまざまな特長が、一つ以上の個々の実施例において集められている。この開示の方法によって、請求項に記載された発明が、請求項に明示的に記載された特徴以外のものを必要とするとの解釈をしてはならない。むしろ、請求項が示すように、発明の態様は、各開示された実施例のすべての特長より少なくてもよい。
【００２５】
本発明が特定の実施例と関連して記載されているが、当業者が容易にわかるように、修正変更は、本発明の精神と範囲から逸脱することなくなされてもよいと理解すべきである。かかる修正変更は、本発明および添付の請求の範囲の中に包含されると解釈すべきである。
【図１】
2010503294.tif 000003
【図２】
2010503294.tif 000004
【図３】
2010503294.tif 000005
【国際調査報告】
2010503294.tif 000006
2010503294.tif 000007